(57)【要約】      （修正有）【課題】空箱の上面に対するティッシュ箱の長手方向へのスライド移動により、ゴミ廃棄時の操作性および交換作業性に優れた、簡易ゴミ箱付きティッシュ箱用収納ケースおよび収納ケース付き家具を提供する。【解決手段】底板２と４つの側板３〜６とを有し、底板２および４側板３〜６によって、ティッシュペーパーがなくなった空箱７と、その上面に載置されたティッシュペーパー入りのティッシュ箱８とを上下整列状態で収納するスペースＳを区画形成し、両短辺側板３，４のうち、一方の短辺側板３の高さを、載置状態にあるティッシュ箱８の底面位置９よりも高くするとともに、他方の短辺側板４の高さを、載置状態にあるティッシュ箱８の底面位置９よりも低くし、両長辺側板５，６の少なくとも一部が、載置状態にあるティッシュ箱８の底面位置９よりも高いこととする。【選択図】図２
0003113285.tif 000002
【実用新案登録請求の範囲】
【請求項１】
各２本の短辺と長辺とで画定される長方形の平面形状をもつ底板と、
この底板から、その各辺に沿って上方に向かって延びる４つの側板と
を有し、これら底板および４側板によって、ティッシュペーパーがなくなった空箱と、その上面に載置されたティッシュペーパー入りのティッシュ箱とを上下整列状態で収納するスペースを区画形成し、
前記底板の２つの短辺に対応する側板である両短辺側板のうち、一方の短辺側板の高さを、前記載置状態にあるティッシュ箱の底面位置よりも高くするとともに、他方の短辺側板の高さを、前記載置状態にあるティッシュ箱の底面位置よりも低くし、
前記底板の２つの長辺に対応する側板である両長辺側板の少なくとも一部が、前記載置状態にあるティッシュ箱の底面位置よりも高いことを特徴とする簡易ゴミ箱付きティッシュ箱用収納ケース。
【請求項２】
前記両長辺側板のうち、少なくとも一方の長辺側板は、その前記一方の短辺側板側の部分が、前記長辺側板の他の部分に比べて高さを減じた第１低側板部である請求項１記載の簡易ゴミ箱付きティッシュ箱用収納ケース。
【請求項３】
前記両長辺側板のうち、少なくとも一方の長辺側板は、その前記他方の短辺側板側の部分が、前記長辺側板の他の部分に比べて高さを減じた第２低側板部である請求項１記載の簡易ゴミ箱付きティッシュ箱用収納ケース。
【請求項４】
前記他方の短辺側板は、底板に対する、垂直位置から平行位置の間で回動可能である請求項１、２または３記載の簡易ゴミ箱付きティッシュ箱用収納ケース。
【請求項５】
前記底板および４側板はいずれも、同一の板材料からなる請求項１〜４のいずれか１項記載の簡易ゴミ箱付きティッシュ箱用収納ケース。
【請求項６】
前記板材料は透光材料である請求項５記載の簡易ゴミ箱付きティッシュ箱用収納ケース。
【請求項７】
前記板材料は、有色透明アクリル樹脂材料である請求項６記載の簡易ゴミ箱付きティッシュ箱用収納ケース。
【請求項８】
請求項１〜７のいずれか１項記載のティッシュ箱用収納ケースを、１以上の引出しを有する家具の天板に一体的に設けることを特徴とするティッシュ箱用収納ケース付き家具。
【考案の詳細な説明】
【技術分野】
【０００１】
この考案は、ティッシュペーパーがなくなった空箱と、その上面に載置されたティッシュペーパー入りのティッシュ箱とを上下整列状態で収納する、簡易ゴミ箱付きティッシュ箱用収納ケースおよび該収納ケース付き家具に関するものである。
【背景技術】
【０００２】
従来、ティッシュペーパーを使用する場合には、ティッシュ箱に入ったティッシュペーパーを、ティッシュ箱の上面に開けた取出し口からティッシュを取り出して使用し、その後、使用した不用のティッシュペーパーを廃棄する場合には、ティッシュ箱とは別個に設けられたゴミ箱にティッシュペーパーを捨てるのが一般的である。
【０００３】
しかしながら、ゴミ箱がティッシュ箱とは別個に設けられていると、使用したティッシュペーパーを捨てるには、ゴミ箱の位置まで移動しなければならず、特に、ゴミ箱がなかったり、あるいは、ゴミ箱がティッシュ箱位置から遠く離れた位置にある場合には、使用したティッシュペーパーをポケット等に一時的に所持していなくてはならず、これは、衛生上の問題がある。
【０００４】
また、病気の時などのように寝たきりであまり動けないような場合には、ティッシュ箱とゴミ箱が分離して別々の位置にあると不便な場合が多い。
【０００５】
ティッシュの使用と廃棄を容易にするための従来の手段としては、例えば、特許文献１に記載されているように、ティッシュ箱とゴミ箱を一の収納ケースにまとめた構成を採用するのが有用である。
【特許文献１】特開２００３−１１８７８３号公報
【０００６】
特許文献１記載の容器収納具は、底部（底板）と４側板に加えて、上部（天板）を有する構成である。このため、容器収納具内へのティッシュ箱とその空箱の出し入れは、容器収納具の上部からはできず、専ら収納具本体の片側短手方向の下部に設けた開口部を通じて行うのみである。
【０００７】
かかる構成は、容器収納具内のティッシュ箱に入ったティッシュがなくなると、新しいティッシュ箱に交換しなければならないが、特許文献１記載の容器収納具の場合には、まず、ゴミの入った空箱と、空になったティッシュ箱とを、容器収納具内から順次取り出し、次いで、新しいティッシュ箱を容器収納具に挿入した後に、容器収納具を逆さにひっくり返した状態でゴミ箱として使用するための空箱を挿入し、その後、容器収納具を元の状態に戻るようにひっくり返すことが必要であり、このようにティッシュ箱の交換作業は、多くの工程が必要であり、交換作業性が悪いという問題点がある。
【０００８】
また、特許文献１に記載された容器収納具内の空箱にゴミを捨てるには、ティッシュ箱の下に配置したゴミ箱としての空箱を、ティッシュ箱が載った状態で引っ張り出す構成であるため効率的ではなく、加えて、空箱を引っ張り出しすぎると、ティッシュ箱が傾いたり下方に落下したりするおそれがあり、一旦ティッシュ箱が落下すると、元の状態に戻すには、上述したような複雑な交換作業を再度繰返し行わなければならない。
【０００９】
加えて、特許文献１の構成では、空箱の引っ張り出し手段は、収納具本体の片側短手方向の下部の開口部の指当て部に指を差し込んで引っ張り出すものであり、これは、開口部が、使用者から見えない位置にある場合には、空箱の引っ張り出しが難しい。
【考案の開示】
【考案が解決しようとする課題】
【００１０】
この考案は、ティッシュペーパーがなくなったゴミ箱としての空箱と、その上面に載置されたティッシュペーパー入りのティッシュ箱とを上下整列状態で収納し、空箱の上面に対するティッシュ箱の長手方向へのスライド移動により、ゴミ廃棄時の操作性および交換作業性に優れた、簡易ゴミ箱付きティッシュ箱用収納ケースおよび該収納ケース付き家具を提供することにある。
【課題を解決するための手段】
【００１１】
上記目的を達成するため、この考案に従う簡易ゴミ箱付きティッシュ箱用収納ケースは、各２本の短辺と長辺とで画定される長方形の平面形状をもつ底板と、この底板の各辺またはその近傍位置から、底板に対し上方に向かって延びる４つの側板とを有し、これら底板および４側板によって、ティッシュペーパーがなくなった空箱と、その上面に載置されたティッシュペーパー入りのティッシュ箱とを上下整列状態で収納するスペースを区画形成し、前記底板の２つの短辺に対応する側板である両短辺側板のうち、一方の短辺側板の高さを、前記載置状態にあるティッシュ箱の底面位置よりも高くするとともに、他方の短辺側板の高さを、前記載置状態にあるティッシュ箱の底面位置よりも低くし、前記底板の２つの長辺に対応する側板である両長辺側板の少なくとも一部を、前記載置状態にあるティッシュ箱の底面位置よりも高くすることにある。
【００１２】
また、上記収納ケースでは、（１）前記両長辺側板のうち、少なくとも一方の長辺側板は、前記一方の短辺側板側の部分が、高さを減じた第１低側板部であること、（２）前記両長辺側板のうち、少なくとも一方の長辺側板は、その前記他方の短辺側板側の部分が、前記長辺側板の他の部分に比べて高さを減じた第２低側板部であること、（３）前記他方の短辺側板は、底板に対する、垂直位置から平行位置の間で回動可能であること、（４）前記底板および４側板はいずれも、同一の板材料からなること、（５）前記板材料は透光材料であること、および／または、（６）前記板材料は、有色透明アクリル樹脂材料であることが好ましい。
【００１３】
また、この考案に従う収納ケース付き家具は、上記の収納ケースを、１以上の引出しを有する家具の天板に一体的に設けたものである。
【考案の効果】
【００１４】
この考案は、ティッシュペーパーがなくなった空箱と、その上面に載置されたティッシュペーパー入りのティッシュ箱とを上下整列状態で収納し、空箱の上面に対するティッシュ箱の長手方向へのスライド移動により、ゴミ廃棄時の操作性および交換作業性に優れた、簡易ゴミ箱付きティッシュ箱用収納ケースおよび収納ケース付き家具を提供することにある。
【考案を実施するための最良の形態】
【００１５】
次に、この考案の実施形態の一例を図面を参照しながら説明する。
図１は、この考案に従う代表的な簡易ゴミ箱付きティッシュ箱用収納ケースの斜視図を示したものである。
【００１６】
図１に示す収納ケース１は、各２本の短辺と長辺とで画定される長方形の平面形状をもつ底板２と、この底板２から、その各辺に沿って上方、好適には垂直上方に向かって延びる４つの側板３〜６とで構成されている。尚、図１では、側板３〜６が、底板２の上面上に配置した場合を示すが、底板２の各端縁から上方に延びるように構成してもよい。
【００１７】
また、この収納ケース１は、これら底板２および４つの側板３〜６によってスペースＳを区画形成し、このスペースＳ内に、図２に示すように、ティッシュペーパーがなくなったゴミ箱としての空箱７と、その上面に載置されたティッシュペーパーＴ入りのティッシュ箱８の２箱を上下整列状態で収納する。
【００１８】
底板２の２つの短辺に対応する側板である両短辺側板３および４は、一方の短辺側板３の高さを、前記載置状態にあるティッシュ箱８の底面位置９よりも高くするとともに、他方の短辺側板４の高さを、前記載置状態にあるティッシュ箱８の底面位置９よりも低くなるように設定する。例えば、一方の短辺側板３の高さは、５５〜１１０ｍｍ、他方の短辺側板４の高さは、５〜５０ｍｍの範囲にすることが好ましい。
【００１９】
また、底板２の２つの長辺に対応する側板である両長辺側板５および６は、少なくとも一部が、前記載置状態にあるティッシュ箱８の底面位置９よりも高くなるように設定する。例えば、長辺側板５および６の高さは、５５〜１１０ｍｍの範囲にすることが好ましい。
【００２０】
この考案では、上記構成を採用することにより、前記載置状態にあるティッシュ箱８を、下方に位置する空箱７の上面に沿ってスライド移動させる場合に、一方の側板３と両長辺側板５および６の３方への移動は阻止され、他方の側板４を通じたスペースＳへの出し入れのスライド移動だけが可能になる。
【００２１】
そして、この考案では、収納ケース１に、ティッシュペーパーＴがなくなった空箱７と、その上面に載置されたティッシュペーパーＴ入りのティッシュ箱８の２箱を上下整列状態で予め収納しておき、ティッシュペーパーＴを使用する場合には、上側に位置するティッシュ箱８の取出し口１０からティッシュペーパーＴを引き出して使用し、その後、使用して不用になったティッシュペーパーを捨てる場合には、上側に位置するティッシュ箱８を、他方の側板４を通じてスペースＳから外方に、ティッシュ箱８の半分以下の長さだけスライド移動させさえすれば、下側に位置するゴミ箱としての空箱７の開口１１（元はティッシュ箱の取出し口）を露出させることができるので、この露出させた開口１１に使用したティッシュ等のゴミＤを捨てればよい。このように、この考案は、ゴミ廃棄時の操作性に優れている。
【００２２】
特に、この考案は、収納ケース１への空箱７とティッシュ箱８の収納は、特許文献１のように収納ケース１に天板がないため、収納ケース１の上方から、空箱７とティッシュ箱８を、収納ケース１をひっくり返すなどの複雑な工程を行うことなく、簡単な方法で行うことができる。
【００２３】
また、収納ケース１内のティッシュ箱８は、ティッシュＴを使用していくうちにティッシュＴがなくなって空箱８´になるため、この空箱８´を新しいティッシュ箱１２に交換できる構成でなければならない。
【００２４】
このため、この考案では、図４（ａ）に示すように、ゴミの溜まった箱７´を、他方の側板４側から少し持ち上げて、他方の側板４の上端位置から斜め上方に向かって引き抜いて、上側にあった空箱８´をスペースＳ内の底板２上に置き、その後、図５に示すように、新しいティッシュ箱１２を、収納ケース１の上方から、空箱８´の上面に載置しさえすればよい。このように、この考案は、交換作業性にも優れている。なお、前記他方の短辺側板４を、図４（ｂ）に示すように、底板２に対する、垂直位置から平行位置の間で回動可能に構成すれば、交換作業性をより一層向上させることができる。
【００２５】
また、この考案では、ゴミの廃棄時には、使用者は、上側に位置するティッシュ箱８の上面に対し力を加えてスライドさせる構成を採用しているため、例えば、使用者が寝たきりの状態のように、収納ケースの側方からの使用が多く、上方からの使用が難しい場合等を考慮して、一方の短辺側板３および両長辺側板５および６の最大高さを、載置状態にあるティッシュ箱８の上面位置よりも低くすることが、ゴミＤの廃棄時の操作性の点からより好適である。
【００２６】
加えて、両長辺側板５，６のうち、少なくとも一方の長辺側板、図１では両長辺側板５および６は、それらの一方の短辺側板３側の部分を、前記長辺側板５および６の他の部分１３に比べて高さを減じた第１低側板部１４とすることが、使用者がゴミＤを捨てる際に、収納ケース内への手の差し込みが容易になり、操作性をより一層向上させる点で好適である。なお、図１では、使用者が、収納ケースに対しあらゆる方向（３６０°の方向）からの操作性を考慮するため、両長辺側板５および６に第１低側板部１４を設けた場合を示してあるが、例えば、両長辺側板５および６の一方を、壁等に固定する場合には、第１低側板部１４は、壁等に固定しない方の長辺側板のみにだけ設ければよい。
【００２７】
さらに、両長辺側板５，６のうち、少なくとも一方の長辺側板は、例えば、図６に示すように、他方の短辺側板４側の部分を、前記長辺側板５，６の他の部分１３に比べて高さを減じた第２低側板部１８とすることが、下側に位置するゴミが詰まった箱を容易に取り出すことができる点で好ましい。
【００２８】
また、底板２および４側板３〜６はいずれも、同一の板材料からなることが好ましい。板材料としては、金属、ガラス、プラスチック等の樹脂、木材、ボール紙等などが種々の材料を用いることができるが、最近のティッシュ箱の外面は、きれいな絵柄が施されていることが多いため、そのティッシュ箱の特色を生かす場合には、板材料は有色または無色の透光材料であることが好適であり、特に、有色透明アクリル樹脂材料を用いるのが好適である。
【００２９】
さらに、この考案では、図６に示すように、上記収納ケース１を、１以上の引出し、図８では２個の引き出し１５，１６を有するような家具（図８では小物入れ１７）の天板１８に一体的に設けることもできる。
【００３０】
上述したところは、この考案の実施形態の一例を示したにすぎず、請求の範囲において種々の変更を加えることができる。
【産業上の利用可能性】
【００３１】
この考案は、ティッシュペーパーがなくなったゴミ箱としての空箱と、その上面に載置されたティッシュペーパー入りのティッシュ箱とを上下整列状態で収納し、空箱の上面に対するティッシュ箱の長手方向へのスライド移動により、ゴミ廃棄時の操作性および交換作業性に優れた、簡易ゴミ箱付きティッシュ箱用収納ケースおよび収納ケース付き家具を提供することにある。
【図面の簡単な説明】
【００３２】
【図１】この考案に従う代表的な簡易ゴミ箱付きティッシュ箱用収納ケースの斜視図である。
【図２】図１の収納ケースにゴミ箱としての空箱とティッシュ箱を収納した状態で示す斜視図である。
【図３】空箱にゴミを捨てるため、ティッシュ箱をスライド移動させたときの状態を示す斜視図である。
【図４】ゴミが溜まった箱を取り出すときの状態を示す斜視図である。
【図５】新しいティッシュ箱を収納ケース内に収納するときの状態を示す斜視図である。
【図６】他の実施形態を示したものであって、ゴミが溜まった箱を取り出す直前の状態を示す斜視図である。
【図７】図６の実施形態を示す図であって、ゴミが溜まった箱を取り出し中の状態を示す斜視図である。
【図８】図１に示す収納ケースを用いた収納ケース付き家具の斜視図である。
【符号の説明】
【００３３】
１  収納ケース
２  底板
３  一方の短辺側板
４  他方の短辺側板
５、６  長辺側板
７  空箱
８  ティッシュ箱
９  ティッシュ箱の底面位置
１０  ティッシュ箱の取出し口
１１  空箱の開口
１２  新しいティッシュ箱
１３  長辺側板の部分
１４  第１低側板部
１５、１６  引き出し
１７  小物入れ
１８  第２低側板部
【図１】
0003113285.tif 000003
【図２】
0003113285.tif 000004
【図３】
0003113285.tif 000005
【図４】
0003113285.tif 000006
【図５】
0003113285.tif 000007
【図６】
0003113285.tif 000008
【図７】
0003113285.tif 000009
【図８】
0003113285.tif 000010